(57)【要約】【課題】  本体底部に電源コードを巻き付ける収納スペースを確保しつつ、リセットスイッチの動作性を確保できるようにする。【解決手段】  駆動モータ５を内装し、該駆動モータ５により回転駆動される出力コネクタ７を上向きに突設した本体１と、前記出力コネクタ７と噛合する受動コネクタ１７が下方に突設され、該受動コネクタ１７と連結された回転刃１８を有する破砕体２とを備えた電動ミキサーにおいて、前記本体１の下部に、電源コード１１を巻き付けて収納する電源コード収納スペースＳを設けるとともに、該電源コード収納スペースＳの上部に、前記破砕体２において破砕される材料が規定材料よりも重い負荷の場合であって前記駆動モータ５を流れる電流が規定値を超えた場合に前記駆動モータ５への通電を停止するリセットスイッチ３８を配置して、リセットスイッチ３８の動作を阻害することなく、電源コード１１の収納スペースＳを確保することが可能となるようにしている。【選択図】        図１
2010279407.tif 000002
【特許請求の範囲】
【請求項１】
駆動モータを内装し、該駆動モータにより回転駆動される出力コネクタを上向きに突設した本体と、前記出力コネクタと噛合する受動コネクタが下方に突設され、該受動コネクタと連結された回転刃を有する破砕体とを備えた電動ミキサーであって、前記本体の下部には、電源コードを巻き付けて収納する電源コード収納スペースを設けるとともに、該電源コード収納スペースの上部には、前記破砕体において破砕される材料が規定材料よりも重い負荷の場合であって前記駆動モータを流れる電流が規定値を超えた場合に前記駆動モータへの通電を停止するリセットスイッチを配置したことを特徴とする電動ミキサー。
【請求項２】
前記電源コード収納スペースには、上下に開口する切欠部を形成するとともに、上部に位置する切欠部には、前記リセットスイッチを配置したことを特徴とする請求項１記載の電動ミキサー。
【請求項３】
前記リセットスイッチが動作していない状態においては、該リセットスイッチのスイッチレバーが前記電源コード収納スペースより上方に位置し、前記リセットスイッチが動作している状態においては、該リセットスイッチのスイッチレバーが前記電源コード収納スペースに達するように構成したことを特徴とする請求項２記載の電動ミキサー。
【発明の詳細な説明】
【技術分野】
【０００１】
本願発明は、電動ミキサーに関し、さらに詳しくは電動ミキサーにおける電源コード収納スペースとリセットスイッチとの配置構造に関するものである。
【背景技術】
【０００２】
この種の電動ミキサーにおいては、破砕される材料が規定材料よりも重い負荷の場合には、駆動モータを流れる電流が増加し、ある程度の規定値を超えると、駆動モータに直列に設けられたリセットスイッチが動作して、駆動モータへの通電を停止させるように構成されている。このリセットスイッチは、通常時には不必要であるので、本体底部に設けられることが多い（特許文献１参照）。
【０００３】
一方、電源コードは、本体底部に巻き付けて収納する調理機器も従来から知られている（特許文献２参照）。
【先行技術文献】
【特許文献】
【０００４】
【特許文献１】特開２００３−２４５２０９号公報
【特許文献２】特開２０００−２０１８０６号公報
【発明の概要】
【発明が解決しようとする課題】
【０００５】
ところで、上記リセットスイッチは、一度動作すると、手動でスイッチレバーを押し下げないと元に戻らない（即ち、駆動モータへの通電を再開できない）構造となっている。
【０００６】
上記特許文献１におけるように、本体底部にリセットスイッチを配設した電動ミキサーにおいて、上記特許文献２に開示されているように、電源コードを本体底部に巻き付けて収納しようとすると、電源コードがリセットスイッチの動作を阻害してはならず、リセットスイッチで電源コードの収納を阻害してもいけない。
【０００７】
本願発明は、上記の点に鑑みてなされたもので、本体底部に電源コードを巻き付ける収納スペースを確保しつつ、リセットスイッチの動作性を確保できるようにすることを目的としている。
【課題を解決するための手段】
【０００８】
本願発明では、上記課題を解決するための第１の手段として、駆動モータを内装し、該駆動モータにより回転駆動される出力コネクタを上向きに突設した本体と、前記出力コネクタと噛合する受動コネクタが下方に突設され、該受動コネクタと連結された回転刃を有する破砕体とを備えた電動ミキサーにおいて、前記本体の下部に、電源コードを巻き付けて収納する電源コード収納スペースを設けるとともに、該電源コード収納スペースの上部に、前記破砕体において破砕される材料が規定材料よりも重い負荷の場合であって前記駆動モータを流れる電流が規定値を超えた場合に前記駆動モータへの通電を停止するリセットスイッチを配置している。
【０００９】
上記のように構成したことにより、本体下部の電源コード収納スペースの上部にリセットスイッチが配置されることとなり、リセットスイッチの動作を阻害することなく、電源コードの収納スペースを確保することが可能となる。
【００１０】
本願発明では、さらに、上記課題を解決するための第２の手段として、上記第１の手段を備えた電動ミキサーにおいて、前記電源コード収納スペースに、上下に開口する切欠部を形成するとともに、上部に位置する切欠部に、前記リセットスイッチを配置することもでき、そのように構成した場合、リセットスイッチを復帰させるためのスイッチレバーを切欠部から操作することができることとなり、リセットスイッチの復帰操作が容易となる。
【００１１】
本願発明では、さらに、上記課題を解決するための第３の手段として、上記第２の手段を備えた電動ミキサーにおいて、前記リセットスイッチが動作していない状態においては、該リセットスイッチの操作レバーが前記電源コード収納スペースより上方に位置し、前記リセットスイッチが動作している状態においては、該リセットスイッチの操作レバーが前記電源コード収納スペースに達するように構成することもでき、そのように構成した場合、リセットスイッチの操作性を阻害することなく、電源コードの収納を容易に行うことができる。
【発明の効果】
【００１２】
本願発明の第１の手段によれば、駆動モータを内装し、該駆動モータにより回転駆動される出力コネクタを上向きに突設した本体と、前記出力コネクタと噛合する受動コネクタが下方に突設され、該受動コネクタと連結された回転刃を有する破砕体とを備えた電動ミキサーにおいて、前記本体の下部に、電源コードを巻き付けて収納する電源コード収納スペースを設けるとともに、該電源コード収納スペースの上部に、前記破砕体において破砕される材料が規定材料よりも重い負荷の場合であって前記駆動モータを流れる電流が規定値を超えた場合に前記駆動モータへの通電を停止するリセットスイッチを配置したので、本体下部の電源コード収納スペースの上部にリセットスイッチが配置されることとなり、リセットスイッチの動作を阻害することなく、電源コードの収納スペースを確保することが可能となるという効果がある。
【００１３】
本願発明の第２の手段におけるように、上記第１の手段を備えた電動ミキサーにおいて、前記電源コード収納スペースに、上下に開口する切欠部を形成するとともに、上部に位置する切欠部に、前記リセットスイッチを配置することもでき、そのように構成した場合、リセットスイッチを復帰させるためのスイッチレバーを切欠部から操作することができることとなり、リセットスイッチの復帰操作が容易となる。
【００１４】
本願発明の第３の手段におけるように、上記第２の手段を備えた電動ミキサーにおいて、前記リセットスイッチが動作していない状態においては、該リセットスイッチの操作レバーが前記電源コード収納スペースより上方に位置し、前記リセットスイッチが動作している状態においては、該リセットスイッチの操作レバーが前記電源コード収納スペースに達するように構成することもでき、そのように構成した場合、リセットスイッチの操作性を阻害することなく、電源コードの収納を容易に行うことができる。
【図面の簡単な説明】
【００１５】
【図１】本願発明の実施の形態にかかる電動ミキサーの縦断面図である。
【図２】本願発明の実施の形態にかかる電動ミキサーにおけるオーバーカップ部分の拡大縦断面図である。
【図３】本願発明の実施の形態にかかる電動ミキサーにおけるオーバーカップの要部拡大断面図である。
【図４】本願発明の実施の形態にかかる電動ミキサーにおけるスイッチ操作体の要部拡大正面図である。
【図５】本願発明の実施の形態にかかる電動ミキサーにおけるスイッチ操作体とスイッチ装置との関係を示す拡大断面図である。
【図６】本願発明の実施の形態にかかる電動ミキサーにおける本体底部と支持台との関係を示す拡大側面図である。
【図７】本願発明の実施の形態にかかる電動ミキサーにおける本体底部を下方から見た拡大斜視図である。
【図８】本願発明の実施の形態にかかる電動ミキサーにおける本体の拡大底面図である。
【図９】本願発明の実施の形態にかかる電動ミキサーの下部側面図である。
【図１０】本願発明の他の実施の形態にかかる電動ミキサーの下部断面図である。
【発明を実施するための形態】
【００１６】
以下、添付の図面を参照して、本願発明の実施の形態について説明する。
【００１７】
この電動ミキサーは、図１に示すように、本体１と、破砕体２と、オーバーカップ３とで構成されている。
【００１８】
前記本体１は、所定のケース４内に駆動モータ５を内装し、上部に前記破砕体２の収納空間６を備えて構成されており、前記収納空間６内には、出力コネクタ７が設けられている。前記本体１内には、前記駆動モータ５の電源のＯＮ／ＯＦＦをなすマイクロスイッチ８と該マイクロスイッチ８を動作させる操作杆９とからなるスイッチ装置１０が配設されている。該スイッチ装置１０における操作杆９は、前記ケース４の内周面に沿って上下動自在に配設されている。
【００１９】
前記駆動モータ５は、前記スイッチ装置１０のマイクロスイッチ８を介して電源コード１１（後述する）に接続されており、その出力軸（回転軸）１２の上端には、出力コネクタ７が軸装されている。この出力コネクタ７は、上面が嵌合用山形形状に形成されており、前記収納空間６の中央底部において上向きに突設されている。
【００２０】
前記破砕体２は、上部に位置する容器部１４と、下部に位置する軸受収納部１５と、回転軸部１６と、受動コネクタ１７と、回転刃１８と、透明容器蓋１９とを備えて構成されている。
【００２１】
前記容器部１４は、前記収納空間６の周壁に形成された段部２０に対して上方から嵌合される容器形状とされ、内周面には、前記透明容器蓋１９の下端部外周に形成された雄ネジ２１が螺合する雌ネジ２２が形成されている。また、容器部１４の底面中央には、前記回転軸部１６の軸孔が穿設されている。
【００２２】
前記軸受収納部１５は、前記容器部１４の下方にネジなどで装着されるものであり、中央部分には、上部が開口され且つ底面に前記回転軸部１６の下端部が嵌合する軸孔を穿設した筒状の軸受部分２３が設けられている。
【００２３】
前記透明容器蓋１９は、その下端部外周に形成された雄ネジ２１を前記容器部１４の内周面に形成された雌ネジ２２に螺合させることにより、回転刃１８により破砕される食品が周囲に飛び散るのを防止する機能を有しており、その内周面には、周方向等間隔で上下方向の凸条２４が形成されている。該凸条２４は、透明容器蓋１９内に収納された食品の回転を防止する機能を有している。
【００２４】
そして、前記回転軸部１６を前記軸受収納部１５の軸受部分２３に収納し、軸受収納部１５を容器部１４にネジ止めなどの手段で連結する。さらに、軸受収納部１５の下方に突出した回転軸部１６に、駆動モータ５側の出力コネクタ１３と噛み合う形状の受動コネクタ１７を装着し、容器部１４の底面に突出した回転軸部１６に回転刃１８を装着し、容器部１４内に破砕すべき食品を収納した後、透明容器蓋１９を螺着すると、破砕体２が組み上げられることとなっている。
【００２５】
前記オーバーカップ３は、内部が透視できるように透明な材料からなっており、その内部には、前記駆動モータ５をＯＮ／ＯＦＦするスイッチ装置１０を操作するスイッチ操作体２５が上下動自在に配設されている。該スイッチ操作体２５は、図２に示すように、前記オーバーカップ３の天面３ａの一部で構成され且つ該天面３ａの中心付近を軸として端面付近で回動する構成とされた操作部２６と、該操作部２６における回動部分に連結され且つ前記オーバーカップ３の内側面に沿って上下動するレバー部材２７とにより構成されている。前記操作部２６は、スプリング２８によって上方に付勢されており、その一端側（即ち、回動部分）に形成された係合穴２９には、前記レバー部材２７の上端に一体に形成された係合突片３０が係合されている（図３および図４参照）。つまり、操作部２６の端面付近をスプリング２８の付勢力に抗して矢印Ｐで示す方向に押圧すると、レバー部材２７が下向きに押し下げられることとなっているのである。符号１３はレバー部材２７をガイドするガイド溝である。
【００２６】
前記レバー部材２７の下端は、図１に示すように、前記本体１の上面において前記スイッチ装置１０における操作杆９の上端と対向せしめられている。なお、操作杆９の上端とレバー部材２７の下端との間には、操作杆９を伝わって本体１の内部へ水が侵入するのを防止するシールパッキン３１が介設されている（図５参照）。該シールパッキン３１は、本体１の上面に操作杆９を嵌挿すべく形成された開口３２に口縁に対して目隠しリング３３によって圧着されている。
【００２７】
また、本実施の形態においては、本体１は、該本体１と略同形とされた支持台３４上に支持されており、本体１の底部には、電源コード１１（図９参照）を巻き取るためのコード巻き取り装置３５が設けられている。該コード巻き取り装置３５は、図６〜図８に示すように、本体１の底面に突設され且つ前記支持台３４に当接される円弧体３６により構成されており、該円弧体３６の開放端３６ａ，３６ａは中心方向に平行に延設されている。この円弧体３６は、電源コード１１を巻き取り得る余裕を確保できるように本体１の外径より相当小径とされている。このようにすると、本体１の外形形状が、前方側（即ち、スイッチ装置１０が配設されている側）が飛び出した卵型となっているところから、本体１と支持台３４との当接部位が小径となり、不安定となり易い。そこで、本実施の形態においては、円弧体３６には、スイッチ装置１０が配設されている側に所定間隔で複数のリブ３７，３７・・が一体に突設されている。つまり、円弧体３６とリブ３７，３７・・とによってコード巻き取り装置３５が構成されることとなっているのである。このようにすると、コード巻き取り装置３５と支持台３４との当接面積が大きくなり、本体１の安定性が増大する。なお、本体１の外周とリブ３７，３７・・の先端との距離をＤ１、本体１の外周と円弧体３６の外周との距離をＤ２としたとき、Ｄ１＝Ｄ２となるようにするのが望ましい。このようにすると、コード巻き取り装置３５に電源コード１１を巻き取るときの巻き取りに要するスペース（即ち、コード収納スペースＳ）がコード巻き取り装置３５の外周側においてほぼ均等となるところから、電源コード１１の巻き取り作業を容易に行い得ることとなる。
【００２８】
ところで、電源コード１１は、図９に示すように、本体１と支持台３４との間に設けられたコード巻き取り装置３５に巻き取られることとなっているが、本体１の下面と支持台３４の上面との間隔Ａ（換言すれば、コード巻き取り装置３５の幅）は、電源コード１１におけるコードブッシュ１１ａの厚さｈ１とほぼ等しくされている。なお、前記間隔Ａは電源コード１１のコンセント部１１ｂの厚さｈ２より狭くされている。このようにすると、電源コード１１のコードブッシュ１１ａを、本体１の下面と支持台３４の上面との間隔Ａに挟み込むことが可能となり、巻き取ったコードを容易に固定することが可能となり、収納時に電源コード１１がほどけてしまうということがなくなる。
【００２９】
図面中、符号３８は破砕すべき食品の内容量が多い時のように駆動モータ５に流れる電流値が大きくなった場合にスイッチ装置１０をＯＦＦ作動させるように動作するリセットスイッチ、３９は冷却風の取り入れ口である。
【００３０】
上記のように構成された電動ミキサーを用いて食品を破砕する手順について説明する。
【００３１】
破砕対象となる食品は、少量の場合には破砕体２の容器部１４に収納して透明容器蓋１９を螺合装着することができ、また多めの食品の場合には、逆さにした透明容器蓋１９内に入れ、その後破砕体２に螺合装着して、食品を一体化した破砕体２と透明容器蓋１９の内方に収納する。ついで、オーバーカップ３を本体１に対して装着し、オーバーカップ３の天面３ａの一部を構成する操作部２６をスプリング２８の付勢力に抗して矢印Ｐで示す方向に押圧する。すると、操作部２６の回動部位に連結されたレバー部材２７が下方に移動し、スイッチ装置１０のマイクロスイッチ８がＯＮ操作され、駆動モータ５に通電されて、回転刃１８を回転駆動し、収納食品の破砕が行われる。
【００３２】
そして、十分な食品破砕が行われると、操作部２６への加圧力を解除すると、操作部２６はスプリング２８の付勢力によって上動し、レバー部材２７が引き上げられ、スイッチ装置１０のマイクロスイッチ８がＯＦＦ操作され、駆動モータ５が停止する。
【００３３】
そこで、オーバーカップ３を取り外した後、透明容器蓋１９を螺脱すると、破砕食品が容器部１４内に収まっており、後はこの破砕食品を適宜な食器に移し変えたり、直接調理に供するようにするものである。
【００３４】
ところで、前記本体１の下部には、電源コード１１を巻き付けて収納する電源コード収納スペースＳが設けられており、該電源コード収納スペースＳの上部には、前記リセットスイッチ３８が配置されている。このリセットスイッチ３８は、一度動作した後においては、そのスイッチレバー３８ａを操作しなければ、駆動モータ５への通電が再開されることがないように構成されている。前記電源コード収納スペースＳには、上下に開口する切欠部４０，４１が形成されており、上部に位置する切欠部４０には、前記リセットスイッチ３８が配置されている。そして、前記リセットスイッチ３８が動作していない状態においては、該リセットスイッチ３８のスイッチレバー３８ａが前記電源コード収納スペースＳより上方に位置し、前記リセットスイッチ３８が動作している状態においては、該リセットスイッチ３８のスイッチレバー３８ａが前記電源コード収納スペースＳに達するように構成されている。
【００３５】
上記のように構成したことにより、本体１下部の電源コード収納スペースＳの上部にリセットスイッチ３８が配置されることとなり、リセットスイッチ３８の動作を阻害することなく、電源コード１１の収納スペースＳを確保することが可能となる。しかも、リセットスイッチ３８を復帰させるためのスイッチレバー３８ａを切欠部４０，４１から操作することができることとなり、リセットスイッチ３８の復帰操作が容易となる。また、リセットスイッチ３８の操作性を阻害することなく、電源コード１１の収納を容易に行うことができる。さらに、切欠部４０，４１は、本体１と支持台３４との両方に形成されることとなっているので、外観を損ねることがない。
【００３６】
図１０には、本願発明の他の実施の形態にかかる電動ミキサーの要部が示されている。
【００３７】
この場合、コード収納スペースＳを構成する本体１と支持台３４との間の隙間には、電源コード１１を取り付けるための取付具４２をはめ込み、該取付具４２に電源コード１１を固定するようにしている。この取付具４２は、電源コード１１をはめ込むことができる一対の固定爪４２ａ，４２ａとからなっており、一方の固定爪４２ａをコード収納スペースＳへはめ込むことによって取り付けられることとなっている。
【００３８】
本願発明は、上記実施の形態に限定されるものではなく、発明の要旨を逸脱しない範囲において適宜設計変更可能なことは勿論である。
【符号の説明】
【００３９】
１は本体
２は破砕体
５は駆動モータ
７は出力コネクタ
１１は電源コード
１７は受動コネクタ
１８は回転刃
３８はリセットスイッチ
３８ａはスイッチレバー
４０，４１は切欠部
Ｓはコード収納スペース
【図１】
2010279407.tif 000003
【図２】
2010279407.tif 000004
【図３】
2010279407.tif 000005
【図４】
2010279407.tif 000006
【図５】
2010279407.tif 000007
【図６】
2010279407.tif 000008
【図７】
2010279407.tif 000009
【図８】
2010279407.tif 000010
【図９】
2010279407.tif 000011
【図１０】
2010279407.tif 000012